(57)【要約】      （修正有）【課題】工業用プレス機の打撃ゾーンの下に位置する自力式工作装置が、端部リングの舌状部を並列関係で締め付け、舌状部の開口にナットをとめるプレス機作動時に寸法安定性を保持する。【解決手段】工作ダイ１１は、ダイハウジング２１の対応する円錐形レセプタクルに嵌合した円錐形分割コレット１８を有する。プレス機の装着力によってコレット１８が強制的にレセプタクルに装入されると、コレット１８の顎部１９が舌状部１５につき対応する量を把持する。移動の予め設定された時点で、コレット１８がソケット内のストッパー２６に対して底を打ち、舌状部１５をその装着前の緩和形状および緩和サイズに保持する。装着時、ダイ１１の軸方向ボア内で往復動するバネ負荷式の段差付きピン２３がナット１７および舌状部１５の開口に心合わせし、後の工程で完成した製品を放出する。【選択図】図１
2017109240.tif 000002
【特許請求の範囲】
【請求項１】
締結具を製品に取り付けるプレス工作装置において、
下向きに収束する側部を備えたテーパー加工ソケットを有するハウジングを有すダイ、
この下向き方向に収束するテーパー加工側部を有し、上向き解除位置と下向き締め付け位置との間にあるハウジング内部で上下に移動できるコレットであって、前記締め付け位置が前記ソケットの底端壁との前記コレットの接触によって規定され、外向き解除位置と内向き締め付け位置との間において前記ハウジングの内部で横に移動可能なコレット、
前記コレット上において横に移動可能で、前記製品を締め付ける顎部、
前記コレットを前記解除位置に上向きに偏倚させる、前記ダイハウジング内の第１バネ、
および
前記ダイハウジングの軸方向ボア内に設けられ、第２バネによって上向き方向に偏倚され、前記顎部間において上向きに延在可能であり、かつ遠位上端部に前記締結具を保持する上下に往復動するピンを有し、
前記コレットが前記ピンを取り囲み、そして前記コレットが前記外向き解除位置にある時に、前記コレットと前記ピンとの間に環状ギャップを有することを特徴とするプレス工作装置。
【請求項２】
前記解除位置が、前記コレットが最も上に位置し、かつ最も外側に位置する位置において、この位置に前記第１バネおよび前記第２バネによって偏倚されている請求項１に記載の工作装置。
【請求項３】
さらに、前記ソケットの上端に、前記コレットの上昇動作を制限することによって、このコレットを前記ソケット内に捕捉する鍔部を有する請求項２に記載の工作装置。
【請求項４】
前記コレットが前記解除位置にある時に、このコレットが前記鍔部に当接する請求項３に記載の工作装置。
【請求項５】
前記締結具を保持する前記手段が環状肩部であり、この環状肩部は、前記締結具の開口を塞ぐ、前記ピンの直径の小さい最上部の基部においてこのピンに位置する請求項１に記載の工作装置。
【請求項６】
前記コレットが、前記解除位置において前記鍔部に当接する肩部をこのコレットの外壁に有する請求項４に記載の工作装置。
【請求項７】
前記ピンの外径が、前記製品の締結具受け取り開口の直径にほぼ等しい請求項１に記載の工作装置。
【請求項８】
前記顎部がそれぞれ、前記製品に加えられる下向き力に抗して前記製品を支持する基部を有する請求項７に記載の工作装置。
【請求項９】
前記締結具がねじ込みナットである請求項８に記載の工作装置。
【請求項１０】
前記製品が、電気端部リングの舌状部である請求項９に記載の工作装置。
【請求項１１】
前記ピンが、前記締結具が前記製品にプレスされている間、前記製品の締結具受け取り開口を塞ぐ請求項７に記載の工作装置。
【請求項１２】
前記ピンが、前記締結具に作用している下向き力が取り除かれ、そしてラム工具が上方に後退している間、前記製品を前記コレット顎部の間から上方に放出する手段を有する請求項１１に記載の工作装置。
【請求項１３】
さらに、プレス機の装着ストローク時、前記締結具に下向きの力を加えるラム工具を有する請求項７に記載の工作装置。
【請求項１４】
前記ラム工具が、前記締結具を保持するソケットを有する請求項１３に記載の工作装置。
【請求項１５】
前記ラム工具の前記ソケットが、前記締結具の前記製品への最大挿入距離を規定する深さを有する請求項１４に記載の工作装置。
【請求項１６】
前記締結具がプレス機によってプレスされ、前記製品に当接した状態で、前記締結具および前記製品に加えられた下向き力によって、前記コレットが前記製品の周囲において締め付け位置に閉じ、前記製品が膨出しないように前記コレット顎部によって確実に保持されるように前記コレット、前記ダイ、前記バネおよび前記ピンが協調動作する請求項１に記載の工作装置。
【発明の詳細な説明】
【関連出願】
【０００１】
本願は“リング舌状部用締め付けダイ装置”の仮特許出願（第62/084/725号，2014.11.26）の非仮部分に関し、優先権を主張する。
【技術分野】
【０００２】
本発明は、２つかそれ以上の部材を締め付けるパンチおよびダイ工作装置に関する。より具体的には、本発明は締結具（ｆａｓｔｅｎｅｒ）を電気端部リングまたはリング端子の舌状部（タング−ｔｏｎｇｕｅ）に締結具（ｆａｓｔｅｎｅｒ）締め付ける自動締め付け工作装置（ｓｅｌｆ−ｃｌａｍｐｉｎｇ  ｔｏｏｌｉｎｇ）に関する。
【背景技術】
【０００３】
ＵＳＰ７，３７４，３８２に記載されている型式の回転可能な締め付けナットは、多岐にわたる用途に広く使用されている。一つの用途は、電気端部リングの舌状部への取り付け用途である。舌状部は、端子の平坦な延長部分であり、端部が取り付けられるスタッド（ｓｔｕｄ，植え込みボルト）を受け取る開口を有する。スタッドへの取り付けを終わらせるために回転可能なナットを使用すると、ケーブル端部に取り付けられたままになるため、緩みのある部材の数を制限できる作用効果が得られる。
【０００４】
電気端部リングまたはリング端子は、一般に、比較的軟質なアルミニウムや銅などの素材から製造されている。多くの場合、舌状部の開口の直径は舌状部の幅よりも比較的大きいため、開口周囲の舌状部素材の幅は極端に狭い。これらの制限があるため、回転可能なクリンチナット（ｃｌｉｎｃｈ  ｎｕｔ）などの変位型締結具（ファスナー）の場合、装着時開口周囲の舌状部が膨らみ、寸法が大きくなる傾向がある。このような歪みが発生すると、装着後のナット回転特性および性能の劣化の原因になる。即ち、これら望ましくない寸法変化によって、ナットの締め付け作用部分と重なる舌状部素材保持力が小さくなる。
【０００５】
即ち、回転ナットなどの締結具の装着時に舌状部の寸法変化を防止する装着用工作装置の提供が望まれている。また、ナットを対応する開口に正確に心合わせし（ｃｅｎｔｅｒｉｎｇ）、舌状部に過剰な応力がかかることを防止する手段を有する装着用工作装置の提供も望まれている。さらに、詰まった場合に各部材を損傷することなく、装着用工作装置から舌状部を放出できる手段の提供も望まれている。
【先行技術文献】
【特許文献】
【０００６】
【特許文献１】ＵＳＰ７，３７４，３８２
【発明の概要】
【０００７】
本発明の一つ実施態様の場合、プレス機（ｐｒｅｓｓ）の打撃ゾーンの下に位置する自力式工作装置（ｓｅｌｆ−ａｃｔｕａｔｉｎｇ  ｔｏｏｌｉｎｇ）が、電気端部リングの舌状部を並列関係（ｓｉｄｅ−ｔｏ−ｓｉｄｅ）で締め付け、プレス機作動時に寸法安定性を保持する。工作ダイは自力式であり、対応する円錐形ソケットに嵌合した円錐形分割コレットを有する。プレス機の装着力によってコレットが強制的にレセプタクルに装入されると、コレットの顎部（ｊａｗｓ）が舌状部の両側に向かって対応する距離移動する。
【０００８】
移動の予め設定された時点で、コレットがストッパー（ｓｔｏｐ）に対して底を打ち、舌状部をその装着前の緩和形状および緩和サイズに舌状部を保持するために必要な位置に、顎部の位置を制限する。この点で、プレス機が動作を継続して、プレス嵌め締結具を装着する。バネ負荷式の段差付きピンが対応するナットに心合わせし、後の工程で完成した製品を放出する。装着完了後、別なバネを使用してコレットが定位置に戻る。
【０００９】
より具体的には、本発明はプレス機の装着ストローク時に、締結具をケーブル端部製品にプレス嵌めした状態で、この製品を保持する自動締め付けダイとして機能する工業用プレス機の工作装置に関する。この工作装置はダイを有し、このダイは下向きに収束する側部を備えるテーパー加工レセプタクルを有し、このレセプタクル内部において、最上部の解除位置と最下部の締め付け位置との間において締め付けコレットが上下に移動可能である。最下部の締め付け位置については、レセプタクルの底部端壁によって規定する。コレットは下向き方向に収束するテーパー加工側部を有し、製品を横に締め付ける移動可能な顎部を有する。これら顎部は、締め付け側部およびプレス機の下向き力に逆らって製品を支持する基部を有する。
【００１０】
第１バネを装置のレセプタクルに設けて、コレットを上方に解除位置に偏倚させる。上下に往復動する円筒形放出ピンについては、ダイの軸方向ボア内に設けるとともに、放出バネによって上向き方向に偏倚させる。このピンは、ピンの直径の小さい上端部分の基部周囲に環状段差（ａｎｎｕｌａｒ  ｓｔｅｐ）を有する。段差とこの上端部分がナットなどの締結具を製品に整合した状態で保持する。装置のダイの解除位置は、コレットとピンとが最上部の位置にある位置であり、コレットおよび放出バネによって当該位置に偏倚する。ダイの上端に設けた鍔部（ｃｏｌｌａｒ）が、解除位置において鍔部の外壁の段差に当接することによって、コレットの上向きの動作を制限し、コレットを工具ソケット内に確保する。このコレットは少なくとも２つ、好ましくは４つの顎部（ｊａｗｓ）を有し、これらの基部（ｂａｓｅｓ）がプレスラムの下向き力に対抗して製品を支持する。
【００１１】
放出ピンは、顎部間に上方に延在し、製品を支持し、かつこれを放出する２つの機能を行う。ピンの外径は、製品の開口にほぼ等しいため、最小のクリアランスでナットと開口とを確実に整合できる。コレット、装置、ダイ、バネおよびピンについては、ラムプレス機によって締結具および製品に加えられた下向きの力が作用し、コレットの締め付け位置によりコレットが製品周囲に締まる又は閉じるように構成、配置する。締め付けられた状態では、締結具が製品にプレスされ、かつこれに取り付けられる一方、コレットの顎部が膨れ出すことはない。プレスラムの下向き力が取り除かれると、ピンがコレットの顎部間を上方に移動し、コレットから製品を上方に放出する。
【００１２】
本発明は、従来技術を超える多数の作用効果を有するものである。本発明の一実施態様に従って構成した工作装置は、簡単な上に自力式の装置である。これは、バネ動作式機構の場合、プレス機の装着力以外の外部機動力に頼らなくてもよいからである。本発明の上記以外の作用効果、および従来技術との相違点は、以上の説明および以下の添付図面および発明の説明から明らかになるはずである。本発明の好適な実施態様により、当業者ならば本発明を完全に理解できるはずである。
【図面の簡単な説明】
【００１３】
【図１】本発明の好適な実施態様に従って構成した工作装置を示す一部を切り欠いた斜視図である。
【図２】図１に示した工作装置の横断面図、詳しくは右側断面図である。
【図３Ａ】図１の工作装置に着座した電気ケーブルの端部リングを示す上部平面図である。
【図３Ｂ】図３Ａの３Ｂ−３Ｂ線に沿って見た断面図である。
【図４】は、本発明の好適な実施態様に従って端部リングの舌状部に締結具を締め付ける逐次的なステップを示す断面図である。
【図５】は、本発明の好適な実施態様に従って端部リングの舌状部に締結具を締め付ける逐次的なステップを示す断面図である。
【図６】は、本発明の好適な実施態様に従って端部リングの舌状部に締結具を締め付ける逐次的なステップを示す断面図である。
【図７】は、本発明の好適な実施態様に従って端部リングの舌状部に締結具を締め付ける逐次的なステップを示す断面図である。
【図８】は、本発明の好適な実施態様に従って端部リングの舌状部に締結具を締め付ける逐次的なステップを示す断面図である。
【図９】上部ハウジングソケットにおけるコレットの移動経路を示す部分概略図（但し、縮尺に従っていない）である。
【図１０】上部ハウジングソケットにおけるコレットの移動経路を示す部分概略図（但し、縮尺に従っていない）である。
【発明を実施するための形態】
【００１４】
好適な実施態様に従って構成した工作装置を図１〜図１０に示す。図１〜図８はより詳細な図面の縮尺に従っているため、コレット、軸（ｓｔｅｍ）および上部ハウジングソケット間の小さなクリアランスは図には現れていない。即ち、図９および図１０の部分的で概略的な図示は、縮尺に従わず、これらクリアランスを明示するためである。
【００１５】
工作装置は、全体として、プレスラム装置１３および自動締結ダイ１１を有する。プレスラム装置の外側支持構造については、当業者による本発明の完全な理解のためには必要ないので、図示を省略した。プレスラム装置１３および自動締結ダイ１１については、従来のプレス機のラムおよびアンビルそれぞれに接続するように構成、配置する。
【００１６】
図１および図２に、自動締結ダイ１１に着座した（位置する）電気端部リング９を示す。この端部リング９は端部取り付け部、即ち端部フェルール１０、舌状部１５、および舌状部１５に締め付けられた後のねじ込みナット１７を有する。これら構成要素の位置は図８に対応する。即ち、端部リング９が完全に組立てられ、かつダイ１１から取り外せる状態になっている。舌状部１５は全体として矩形であり、長さ方向の寸法がフェルール１０の中心軸線に対して平行になっている。上述したように、舌状部１５の厚みは、開口に隣接する舌状部１５の長さ方向縁部にそって最小の厚みになっている。
【００１７】
全体として、プレスラム装置１３は充実円筒体（ｓｏｌｉｄ  ｃｙｌｉｎｄｒｉｃａｌ  ｂｏｄｙ）８を有し、この円筒体８は中心長手軸線を有し、一端に円筒形ソケット１２を有する。ソケット１２の直径については、舌状部１５に“かしめる（ｃｒｉｍｐ）”ことになるナット１７やその他の締結具の外径に近似する直径が好ましい。以下に説明するように、ソケット１２は、装着プロセス時にナット１７を舌状部１５の開口に整合保持する。
【００１８】
ダイ１１は円筒形ハウジング２１を有し、このハウジング２１は中心軸方向ボア部７を有し、このボア部７において円筒ピン２３が往復動作を行う。ボア部７はハウジングの上端２１ａからハウジングの下端２１ｂ付近の点まで延在するが、ハウジング２１全体には延在しない。ボア部７は、以下に説明するように、いくつかの異なる直径を有する。使用時、ハウジング２１の中心軸線は、プレスラム装置１３の中心軸線に対して整合する。
【００１９】
ピン２３は中心部２３ｂ、大きな直径の下部２３ｃ、および図２に明示するように、ナット１７の内径と同じ直径である、小さな直径の上部２３ａを有する。ピン２３の中心部２３ｂの直径が舌状部１５の開口の内径に実質的に等しいため、適切なクリアランスをもつことになる。
【００２０】
ダイ１１はテーパー加工した分割コレット体を有し、この分割コレット体は４つのコレット部分１８（以下総括的に“コレット１８”と呼ぶ）からなる。これらコレット部分がハウジングの上端２１ａから延在する上部ハウジングソケット１６内で往復動作する。４つの協調動作コレット部分は、軸２３の中心部２３ｂの上端の周りに対称的に配置する。コレット１８の各部分は、基部２０および歯部１９とともに４つの上顎部２０を備え、これらが、図１および図３に明示するように、舌状部１５の長手方向に延在する側部をつかむ。
【００２１】
図９を参照して説明すると、コレット部分の内側壁３２は弧状であり、軸２３の中心部２３ｂの外径に一致する。図１０を参照して説明すると、コレットの外側壁は軸方向上部３０ａおよび軸方向下部３０ｃにおいて全体として円筒形であり、これら上下部はいずれも直径が同じであることが好ましい。対照的に、外側壁の中心部分３０ｂは、下向き方向に内方にテーパー状に加工する。好適な実施態様では、中心部分３０ｂの外側壁の直径は、下部３０ｃから上部３０ａまで漸増し、中心部分３０ｂと上部３０の界面に肩部３０ｄを形成する。肩部３０ｄは、コレットが上部ハウジングソケット１６から抜け出すことを防止するストッパーとして機能する。
【００２２】
上部ハウジングソケット１６の内壁３１は、全体としてコレットの外側壁３０に一致する形状を有する。図１０を参照して説明すると、内壁３１ｂの下部は、直径が一定の全体として円筒形である。内壁３１ａの上部は、上方向において外方にテーパー加工する。換言すると、ソケット１６の内径は、上下部の界面からハウジング上端２１ａにかけて漸増する。
【００２３】
第１圧縮バネ２７は、中心ボア部７の底部において第１拡大ソケット部分７ａに位置する。このバネ２７はピン２３の底端に当接し、ピン２３を上方偏倚させる。第２バネ２５がピン２３の中心部分２３ｂを取り囲み、上部ハウジングソケット１６と同じ広がりをもつが、直径がより小さい中心ボア部７の第２拡大ポケット部分７ｂに位置する。第２バネ２５の上端がコレット１８の底部に接触し、コレット１８を上方偏倚させる。鍔部２９がハウジングの上部を取り囲み、その小さな直径はコレット１８の上部３０ａよりもわずかに大きい。鍔部（ｃｏｌｌａｒ）２９がコレット１８をハウジング２１内に係留し、その上向きの動作を制限する一方で、上部ハウジングソケット１６の底壁２６がコレットの下向き動作を制限する。ダイハウジング２１もピン２３の運動範囲を制御する適切なストッパーを有する。
【００２４】
図１および図２および上記説明から、当業者にとっては、ピン２３およびコレット１８の動きが分離した状態にあり、またコレット１８の上部に下向きの力が作用するため、このコレットが上部ハウジングソケット１６の底壁２６に達するまで、顎部１９が閉じることは明白なはずである。
【００２５】
図３Ａ〜図８に、本発明の締め付け方法の好適な実施態様に従って上述した工作装置を使用して端部リング９の舌状部１５に締結具を締め付ける連続的なステップを示す。舌状部１５へコレット顎部がどのように作用するかを明示するために、正面断面図を提示した。図３Ａの対応する平面図には、舌状部１５の位置も示す。工作装置の構成要素について、図１および図２を参照して一つ一つ十分に説明した以上、構成成分の一部の位置変更を除けば、すべて同じである図３〜図７の構成部材を一つ一つ繰り返して説明することは、本発明の作動/動作/操作（ｏｐｅｒａｔｉｏｎ）を完全に理解するためには必要ないと考える。各構成成分の参照符号は、図１および図２に示した番号に対応する。実際、このように図示する必要は必ずしもないと考えるが、ここに説明するように以下の順で操作を行うために、寸法およびバネ定数を選択した。
【００２６】
図３Aおよび図３Bを参照して説明すると、舌状部１５の開口はピン２３の上部２３ａ全体に位置している。舌状部１５は、歯１９の間にある顎部の基部２０に位置する。次に、ナット１７をピン２３の上部２３ａの全体に位置し、上部２３ａと中心部２３ｂとの間の肩部に着座する。同時に、開口が中心部２３ｂの最端部をぴったりと取り囲む。このような機械的構成によって、装着作業時にナット１７と舌状部１５の開口が整合する。
【００２７】
図４を参照して説明すると、締め付け作業が続き、この間プレス機（図示省略）がプレスラム装置１３を下降させ、これをナット１７に接触させ、このナットがソケット１２の底部に進入し、接触する。続いて、プレス作業ストロークが進み、図５に示すように、プレスラム装置１３が、下部放出バネ２７の上向き偏倚力に逆らってナットおよびピンを下向きに駆動する。
【００２８】
図５の状態では、放出ピン２３も下向きに移動するため、プレスラム装置１３がナット１７を強制的に舌状部１５に接触させる。ここで、ナット１７および舌状部１５に作用する力によって、コレット１８が下向きに移動し、バネ荷重作用が発生する。このため、第１に、ナットおよび舌状部を底部バネ２７の反力に逆らって可動整合接触状態に維持できる。そして第２に、コレット１８がナット１７および舌状部１５に対するプレスラム装置１３の力によって下向きに移動している間、上部バネ２５によって舌状部１５が顎部１９間においてコレット１８の上部に常に接触することになる。
【００２９】
図６を参照して説明すると、プレスラム装置の下向き運動は、図６に矢印で示すように、上部ハウジングソケット１６のテーパー加工内壁３１ａに対するテーパー加工コレット１８の楔作用によって舌状部１５が最も狭い締め付け距離においてコレットの顎部間に完全に取り込まれるまで、継続する。連続装着動作のこの時点で、コレット１８はソケットの端壁２６に対して底を打ち、上部バネ２５は完全圧縮する。ハウジング２１内のソケット１６の深さについては、舌状部１５の適切な自由幅に等しい最小締め付け顎部距離で底を打つように設計することができる。
【００３０】
図７の状態では、舌状部１５は締め付けられたままであるため、膨らみ出すことはない。ナット１７に作用するプレス力は漸増して、最大量に達し、リング舌状部１５への締め付け取り付けが完了する。ソケットの底壁２６に対してコレット１８が“ハードストップ”するため、ナット１７に対する最終的な目的の装着力を確実に完全達成できる。これは、コレット１８の締め付け作用から独立しているからである。プレス機の下向き装着ストロークは最大点まで継続でき、図示のように、プレスラム装置１３がコレット１８に接触する。このような設計の場合、プレスラム装置１３の動作終了時におけるソケット１２の深さが、ナット１７の舌状部１５への最大挿入距離になる。
【００３１】
図８の状態では、ナットが舌状部１５に十分に締め付けられているため、プレスラム装置１３はナットから引き抜かれ、離間している。この状態では、放出ピン２３がコレットの顎部１９の間から上方に端部リングを放出する。コレット１８および放出ピン２３が、それぞれのバネ２５および２７の力によって上向きに移動する。コレットの上昇は、肩部３１ｄと鍔部２９との当接によって制限される。この時点で、完成した端部リングが放出され、放出ピン２３から取り出す準備が整うため、次の装着サイクルを開始できる。
【００３２】
上記実施態様の場合、上記工作装置はいくつかの連続的な機能を発揮できる。この装置の場合、舌状部１５の横側部が締め付け時に膨れ出すことはない。また、本発明の工作装置の場合、締め付けナットなどの締結具を舌状部１５の開口に同心的に整合でき、プレス後に完成体を放出できる。これら機能は、迅速に組立を行うことができ、不合格部品が少なく、従って稼動効率がきわめて高く、そしてコスト効果の高い工作装置によって実現できる。
【００３３】
以上は、本発明の原理の例示に過ぎず、また本発明の考えられる実施態様に過ぎない。さらに、当業者にとって、多くの一部変更などの変更は容易であるため、本発明を添付図面に示され、かつ本明細書に記載した正確な構成に限定することは意図していない。従って、適切な一部変更および等価物はいずれも特許請求の範囲およびその法的な等価物によってのみ規定できる本発明の範囲内に包摂されるものである。
【符号の説明】
【００３４】
５、１５：舌状部
７：ボア部
８：充実円筒体
９：電気端部リング
１０：端部フェルール
１１：自動締結ダイ
１２：ソケット
１３：プレスラム装置
１６：ハウジングソケット
１７：ねじ込みナット
１８：コレット
１９：歯部
２０：基部、顎部
２１：円筒形ハウジング
２１ａ：上端
２１ｂ：下端
２３：円筒ピン、軸
２３ａ：上部
２３ｂ：中心部
２３ｃ：下部
２５：第２バネ、上部バネ
２７；第１圧縮バネ、底部バネ
２９：鍔部
３０：外側壁
３０ａ：軸方向上部
３０ｂ：中心部分
３０ｃ：軸方向下部
３０ｄ：肩部
３１、３１ａ、３１ｂ：内壁
３２：内側壁
【図１】
2017109240.tif 000003
【図２】
2017109240.tif 000004
【図３Ａ】
2017109240.tif 000005
【図３Ｂ】
2017109240.tif 000006
【図４】
2017109240.tif 000007
【図５】
2017109240.tif 000008
【図６】
2017109240.tif 000009
【図７】
2017109240.tif 000010
【図８】
2017109240.tif 000011
【図９】
2017109240.tif 000012
【図１０】
2017109240.tif 000013
【外国語明細書】
2017109240.tif 000014
2017109240.tif 000015
2017109240.tif 000016
2017109240.tif 000017
2017109240.tif 000018
2017109240.tif 000019
2017109240.tif 000020
2017109240.tif 000021
2017109240.tif 000022
2017109240.tif 000023
2017109240.tif 000024
【図１】
2017109240.tif 000025
【図２】
2017109240.tif 000026
【図３A】
2017109240.tif 000027
【図３B】
2017109240.tif 000028
【図４】
2017109240.tif 000029
【図５】
2017109240.tif 000030
【図６】
2017109240.tif 000031
【図７】
2017109240.tif 000032
【図８】
2017109240.tif 000033
【図９】
2017109240.tif 000034
【図１０】
2017109240.tif 000035